(57)【要約】      （修正有）【課題】名前、緊急連絡先電話番号、血液型、生年月日、既往症を記載出来るデータカードと、そのデータカードが収納出来る収納部を一体形したデータカード収納シートの付いた靴の中敷きを提供する。【解決手段】靴の中に装着する靴の中敷の裏面に，データカード１８が収納出来る収納部１６を設けた薄い透明樹脂製の靴の中敷略同型シートと靴の中敷を一体形成し、データカードの挿入口１７を使用者が靴を履いたときの土踏まず内側付近に開口することによって、歩行等の衝撃によるデータカードの飛び出し、及びデータカードの破損、データカード収納部の破損が予防できることを特徴とする。【選択図】図３
0003170545.tif 000002
【実用新案登録請求の範囲】
【請求項１】
靴の中敷の裏面に、データカードが出し入れできるデータカード収納部を設けた靴の中敷と略同型のデータカード収納シートを固着し、該データカードの挿入方向がつま先とかかとを結ぶ線に交わるように、データカードの挿入口を設けたことを特徴とする、データカード収納シートを固着した靴の中敷。
【請求項２】
靴の使用者が靴を履いた状態において、土踏まずの内側に前記データカードの挿入口が開口している請求項１記載の靴の中敷。
【請求項３】
靴の中敷表面のかかと部分に、靴の使用者のデータカードが収納されている旨が認識できる、シンボルマークを記載した請求項１、または請求項２記載のデータカード収納シートを固着した靴の中敷。
【考案の詳細な説明】
【技術分野】
【０００１】本考案はデータカード収納シートを固着した靴の中敷に関するものである。
【背景技術】
【０００２】徘徊癖のある高齢者、大災害時の被災者の身元確認等のために、靴の中敷にデータカードが収納出来る靴の中敷関連技術は殆ど開示されていないが、例えば、実用新案登録第３１２３４３７号には、筒状の収納袋を固着した靴の中敷が開示されている。
【先行技術文献】
【特許文献】
【特許文献１】実用新案登録第３１２３４３７号
【考案の開示】
【考案が解決しようとする課題】
【０００３】しかし、前記特許文献１の靴の中敷の構成は、筒状の収納袋を靴の中敷裏面のかかと部分に固着したもので使用中に収納袋が破損したり、収納したデータカードが出てしまい、破損、或いは記載データが解読できない恐れがあった。
また、靴の使用者が緊急事態に遭遇した場合の救護者に、靴の使用者の個人データが靴の中敷に個人情報を記載したデータカードが収納されている旨を知らしめる手段がなかった。
【課題を解決するための手段】
【０００４】そこで、本考案のデータカード収納シートを固着した靴の中敷は、データカードが靴の使用者の歩行等による衝撃でも収納部から出てしまうことが無く、また破損によるデータカードに記載された個人情報の消失がなくデータカードが収納できる。
また、本考案のデータカード収納シートを固着した靴の中敷を装着した靴の使用者が、緊急事態に遭遇してしまった際の救護者に、靴の使用者の個人情報を記載したデータカードが靴の中敷に収納されている旨を知らしめることができるデータカード収納シートを固着した靴の中敷を提供することを目的とする。
請求項１に係るデータカード収納シートを固着した靴の中敷は、該靴の中敷の裏面に略同型のデータカード収納シートを固着し、データカードを出し入れする挿入方向を、つま先とかかとを結ぶ線に交わるようにデータカード挿入口を設けた。
請求項２に係るデータカード収納シートを固着した靴の中敷は、靴の使用者が靴を履いた状態の土踏まず内側に、データカードの挿入口を設けた該靴の中敷と略同形のデータカード収納シートを該靴の中敷の裏面に接着する。
該データカード収納シートの収納部内に、靴の所有者の個人情報が記載されたデータカードを挿入し、靴に装着するものである。
請求項３に係るデータカード収納シートを固着した靴の中敷は、靴の使用者が緊急事態に遭遇した際の救護者に、該靴の中敷に個人情報を記載したデータカードが該靴の中敷に収納されている旨を知らしめることができるよう、データカード収納シートを固着した靴の中敷の表面のかかと部分にシンボルマークを記載した。
【考案の効果】
【０００５】上記のように構成された本考案には、次のような効果がある。
ａ  本考案のデータカード収納シートを固着した靴の中敷は、データカード収納部を、靴を履いた状態の土踏まずに設けたので、靴の使用者の歩行等によるデータカード収納部の破損が少ない。
ｂ  歩行時、つま先とかかとに体重移動の負荷が掛かるので、靴を履いての歩行状態を想定し、データカードの挿入口を土踏まずの内側に設けたことにより、データカードの飛び出しを予防できるので、データカードの飛び出しによる破損がなく、緊急時におけるデータカードの解読不可能も回避できる。
ｃ  本考案のデータカード収納シートはポリウレタン（ＰＵ）、ポリプロピレン（ＰＰ）等で製造できるので、既成の靴の中敷と高周波熱融着による一体形成が容易にできるため安価に提供できる。
ｄ  請求項３によって、靴の中敷表面かかと部分に、靴の使用者のデータカードが収納されている旨が認識できるシンボルマークを記載した。それによって緊急時の救護者が容易に靴の使用者の本人確認、及び緊急連絡、緊急処置を施すことができる。
ｅ  本考案の中敷を装着しておくと、大震災等の災害時の身元不明者の本人確認が容易にできる。
ｆ  幼児等の靴の中に本考案の中敷を装着しておくと、迷子になった場合、直ぐに保護者への連絡対応ができる。
ｇ  データカードは容易に取り出すことができるので、データを書き換える必要が生じた場合、新しい記録をしたデータカードと容易に交換ができる。
ｈ  本考案のデータカード収納シートを固着した靴の中敷を装着した靴を履いた状態で突然発作で倒れた場合、また徘徊癖のある高齢者が保護された場合に、靴を脱がし、該データカード収納シートを固着した靴の中敷を取り出して裏面のデータカード収納部を確認し、即座に適切な処置、連絡を取ることができる。
【図面の簡単な説明】
【０００６】
【図１】図１Ａは本考案の実施例に係る靴の中敷の表図面及び、裏図面である。図１Ｂは本考案の実施例に係るデータカード収納シートの表図面及び裏図面である。
【図２】図２は図１におけるａ−ａ′及びｂ−ｂ′の断面図である。
【図３】図３は個人情報が記載されたデータカードを本考案のデータカード収納シートの収納部に装着する状態を示した図である。
【符号の説明】
【０００７】１１  中敷Ａの表面である。
１２  中敷Ａの裏面である。
１３  シンボルマークである。
１４  データカード収納シートＢの靴の中敷Ａの裏面１２と接着する面である。
１５  データカード収納シートＢの靴の底にあたる面である。
１６  データカードの収納部である。
１７  データカードの挿入口である。
１８  個人情報が記載出来るデータカードである。
【考案を実施するための形態】
【０００８】以下、本考案の実施の形態を図面に基づいて説明する。
【０００９】図１のＡは靴の中敷の表面１１と裏面１２で、１３は靴の中敷の表面１１に記載されたシンボルマーク１３である。靴の中敷は特定のものではなく、従来提供されている靴の中敷きである。
図１のＢはデータカード収納シートで、中敷Ａ裏面１２と接着する面１４と、靴の底にあたる面１５である。
【００１０】図１Ａの１２は靴の中敷の裏面で、この靴の中敷の裏面１２に、靴の中敷と略同型でデータカード収納部１６を固着したＢの靴の中敷と接着する面１４とを接着するのであるが、データカード挿入口１７は、使用者が靴を履いた時の土踏まず側で、収納部１６に収納されたデータカード１８より内側に挿入口１７の切れ込みを開口してある。
それによって、歩行等の使用による衝撃等でデータカードの飛び出し、破損を予防できる。又、データカード収納部１６を土踏まずに近い位置に固着することによって、歩行等の靴の使用時の衝撃による収納部１４及び、データカード１８の破損を予防できる。
【００１１】図１のＡは靴の中敷の表面１１で、データカード１８が、裏面に収納されている旨をシンボルマークにより記載しておくと、緊急事態の際に救護者への視認効果があり直ちに対応できる。
【００１２】図１のＢは靴の中敷と略同型で薄い透明の合成樹脂製からなるシートで、データカード収納部１６が固着されている。
データカード収納シートＢの靴の中敷と接着する面１４と，靴の中敷Ａの裏面１１との接着は、接着剤か高周波熱融着等の手段で固定する。
【００１３】図２のＡ及び、Ｂは図１の靴の中敷Ａのａ−ａ′及びデータカード収納シートＢのｂ−ｂ′の断面図である。
【００１４】図３はデータカード収納シートＢに、個人情報が記載されたデータカード１８を、データカード収納シート表面１５に開口された収納部１６のデータカード挿入口１７にデータカード１８を装着する状態を示した図である。
【００１５】データカード１８は自己の現在の状態を記入するものである。
記入項目は名前、緊急連絡先電話番号、血液型、生年月日、既往症の五項目である。
データカード６は薄い合成樹脂製で、油性のマジックペン、ボールペン等で記入する。又記入項目欄は項目ごとに分類されている。
【図１】
0003170545.tif 000003
【図２】
0003170545.tif 000004
【図３】
0003170545.tif 000005